(57)【要約】【課題】調理容器支持部に装着された調理容器の種別に応じた調理メニューを適切に選択できる加熱調理器を提供する。【解決手段】調理容器支持部に装着された調理容器の種別を検出する容器種別検出部Ｍと、被加熱物を加熱する加熱部７の加熱作動を制御する運転制御部Ｂとが設けられ、複数の調理メニューが、複数種の調理容器に応じて分類する形態で設定され、運転制御部Ｂが、容器種別検出部Ｍの検出情報に基づいて、複数の調理メニューのうちから、検出された種別の調理容器に対応する調理メニューを表示部Ｄに表示し、かつ、表示部Ｄに表示された調理メニューが選択部にて選択されると、選択された調理メニューに応じて定めた加熱条件で加熱調理を実行するように構成されている。【選択図】図７
2018066517.tif 000002
【特許請求の範囲】
【請求項１】
被加熱物を加熱調理するための複数種の調理容器を付替え自在でかつ加熱調理室に対して出退自在な調理容器支持部と、
当該調理容器支持部に装着された前記調理容器の種別を検出する容器種別検出部と、
前記調理容器支持部が前記加熱調理室に収納された状態において、前記被加熱物を加熱する加熱部と、
前記加熱部の加熱作動を制御する運転制御部と、が設けられ、
複数の調理メニューが、複数種の前記調理容器に応じて分類する形態で設定され、
前記運転制御部が、前記容器種別検出部にて検出された種別の前記調理容器に対応する前記調理メニューが選択されると、選択された調理メニューに応じて定めた加熱条件で加熱調理を実行するように構成されている加熱調理器であって、
前記調理メニューを表示する表示部、及び、当該表示部に表示された前記調理メニューを選択する選択部が設けられ、
前記運転制御部が、前記容器種別検出部の検出情報に基づいて、複数の前記調理メニューのうちから、検出された種別の前記調理容器に対応する調理メニューを前記表示部に表示し、かつ、前記表示部に表示された前記調理メニューが前記選択部にて選択されると、選択された調理メニューについての前記加熱調理を実行するように構成されている加熱調理器。
【請求項２】
前記容器種別検出部が、前記調理容器支持部が前記加熱調理室に対する設定収納位置に収納された状態において、前記調理容器との接当により前記種別を検出するように構成され、
前記調理容器支持部が前記設定収納位置に収納されたことを検出する収納検出部が設けられ、
前記運転制御部が、前記収納検出部が前記設定収納位置に前記調理容器支持部が収納されたことを検出する状態において、前記容器種別検出部の検出情報に基づいて前記調理容器の種別を判別するように構成されている請求項１記載の加熱調理器。
【請求項３】
前記設定収納位置に向けて移動される前記調理容器支持部を前記設定収納位置に移動操作するアシスト装置が設けられている請求項２記載の加熱調理器。
【請求項４】
前記収納検出部が、前記調理容器支持部に装着された前記調理容器を検出するように構成されている請求項２又は３記載の加熱調理器。
【請求項５】
前記運転制御部が、前記容器種別検出部の検出情報に基づいて、複数の前記調理メニューのうちから、検出された種別の前記調理容器に対応する調理メニューを前記表示部に表示する際に、表示する調理メニューに対応づけて、検出された種別の前記調理容器を併せて表示するように構成されている請求項１〜４のいずれか１項に記載の加熱調理器。
【発明の詳細な説明】
【技術分野】
【０００１】
本発明は、被加熱物を加熱調理するための複数種の調理容器を付替え自在でかつ加熱調理室に対して出退自在な調理容器支持部と、
当該調理容器支持部に装着された前記調理容器の種別を検出する容器種別検出部と、
前記調理容器支持部が前記加熱調理室に収納された状態において、前記被加熱物を加熱する加熱部と、
前記加熱部の加熱作動を制御する運転制御部と、が設けられ、
複数の調理メニューが、複数種の前記調理容器に応じて分類する形態で設定され、
前記運転制御部が、前記容器種別検出部にて検出された種別の前記調理容器に対応する前記調理メニューが選択されると、選択された調理メニューに応じて定めた加熱条件で加熱調理を実行するように構成されている加熱調理器に関する。
【背景技術】
【０００２】
かかる加熱調理器は、例えば、「トースト」、「魚：姿焼き」、「魚：切り身」、「焼く」、「あたためる」、「煮る」、「蒸す」、「ごはん」等の複数の調理メニューのうちから、調理容器種別検出部にて検出された種別の調理容器に対応する調理メニューが選択されると、選択された調理メニューに対する加熱調理を自動的に行うことになる。
【０００３】
かかる加熱調理器の従来例として、加熱調理室としてのグリル庫を備えたガスコンロにおいて、調理容器支持部に付替え自在な調理容器として、グリル皿と調理鍋とが設けられ、グリル庫にて加熱調理する調理メニューを設定するグリル用設定操作部に、「トースト」、「魚：姿焼き」、「魚：切り身」等の複数の調理メニューが予め記載され、それらの記載されている調理メニューを、押し操作するごとに次に調理メニューを順次選択する状態で選択する選択スイッチが設けられ、運転制御部が、点火指令が指令された際に、容器種別検出部にて検出された種別の調理容器に対応する調理メニューが選択されていると、選択された調理メニューに応じて定めた加熱条件で加熱調理を実行し、そして、点火指令が指令された際に、容器種別検出部にて検出された種別の調理容器に対応する調理メニュー以外の調理メニューが選択されていると、加熱調理を実行せずに、警報処理を実行するように構成されているものがある（例えば、特許文献１参照）。
【０００４】
つまり、特許文献１は、容器種別検出部にて検出された種別の調理容器に対応する調理メニュー以外の調理メニューが選択されている状態で、点火指令が指令された際には、警報処理を実行することにより、調理容器支持部に装着された調理容器の種別に応じた調理メニューとは異なる調理メニューに対する加熱調理を実行しないようにしたものである。
そして、警報処理が実行されたときには、使用者は、調理容器支持部に装着した調理容器の種別に応じた調理メニューを選択すべく、調理メニューの選択をやり直して、点火指令を指令することにより、加熱調理を行わせることになる。
【先行技術文献】
【特許文献】
【０００５】
【特許文献１】特開２０１６‐５４９２９号公報
【発明の概要】
【発明が解決しようとする課題】
【０００６】
従来の加熱調理器においては、調理容器支持部に装着された調理容器の種別に応じた調理メニューとは異なる調理メニューに対する加熱調理が実行されることを回避できるものの、調理容器支持部に装着される調理容器の種別に応じた調理メニュー以外の調理メニューも選択できるものであるため、調理容器支持部に装着された調理容器の種別に応じた調理メニュー以外の調理メニューを選択してしまう誤りを発生する虞があり、その際には、再度、調理メニューの選択をやり直すことになる等、加熱調理を実行するための調理メニューの選択操作が煩雑となる不都合があった。
【０００７】
本発明は、上記実状に鑑みて為されたものであって、その目的は、調理容器支持部に装着された調理容器の種別に応じた調理メニューを適切に選択できる加熱調理器を提供する点にある。
【課題を解決するための手段】
【０００８】
本発明の加熱調理器は、被加熱物を加熱調理するための複数種の調理容器を付替え自在でかつ加熱調理室に対して出退自在な調理容器支持部と、
当該調理容器支持部に装着された前記調理容器の種別を検出する容器種別検出部と、
前記調理容器支持部が前記加熱調理室に収納された状態において、前記被加熱物を加熱する加熱部と、
前記加熱部の加熱作動を制御する運転制御部と、が設けられ、
複数の調理メニューが、複数種の前記調理容器に応じて分類する形態で設定され、
前記運転制御部が、前記容器種別検出部にて検出された種別の前記調理容器に対応する前記調理メニューが選択されると、選択された調理メニューに応じて定めた加熱条件で加熱調理を実行するように構成されているものであって、その特徴構成は、
前記調理メニューを表示する表示部、及び、当該表示部に表示された前記調理メニューを選択する選択部が設けられ、
前記運転制御部が、前記容器種別検出部の検出情報に基づいて、複数の前記調理メニューのうちから、検出された種別の前記調理容器に対応する調理メニューを前記表示部に表示し、かつ、前記表示部に表示された前記調理メニューが前記選択部にて選択されると、選択された調理メニューについての前記加熱調理を実行するように構成されている点にある。
【０００９】
すなわち、容器種別検出部の検出情報に基づいて、複数の前記調理メニューのうちから、検出された種別の調理容器に対応する調理メニューが、表示部に表示されることになる。
そして、表示部に表示された調理メニューが選択部にて選択されると、運転制御部が、容器種別検出部にて検出された種別の調理容器に対応する調理メニューが選択されたと判別して、選択された調理メニューに応じて定めた加熱条件で加熱調理を実行することになる。
【００１０】
したがって、表示部には、複数の前記調理メニューのうちから、容器種別検出部にて検出された種別の調理容器に対応する調理メニューが表示され、その表示された調理メニューを選択するものであるから、容器種別検出部にて検出された種別の調理容器に対応する調理メニュー以外の調理メニューを選択することがなくなり、容器種別検出部にて検出された種別の調理容器に対応する調理メニューを適切に選択するようにしながら、選択された調理メニューに対する加熱調理を行うことができる。
【００１１】
要するに、本発明の加熱調理器の特徴構成によれば、調理容器支持部に装着された調理容器の種別に応じた調理メニューを適切に選択できる。
【００１２】
本発明の加熱調理器の更なる特徴構成は、前記容器種別検出部が、前記調理容器支持部が前記加熱調理室に対する設定収納位置に収納された状態において、前記調理容器との接当により前記種別を検出するように構成され、
前記調理容器支持部が前記設定収納位置に収納されたことを検出する収納検出部が設けられ、
前記運転制御部が、前記収納検出部が前記設定収納位置に前記調理容器支持部が収納されたことを検出する状態において、前記容器種別検出部の検出情報に基づいて前記調理容器の種別を判別するように構成されている点にある。
【００１３】
すなわち、運転制御部が、収納検出部にて、調理容器支持部が設定収納位置に収納されたことが検出されたときに、容器種別検出部の検出情報に基づいて調理容器の種別を判別するものであるから、調理容器支持部に装着された調理容器の種別を適切に判別することができる。
【００１４】
つまり、調理容器支持部が加熱調理室に対する設定収納位置に収納された状態において、調理容器との接当により調理容器の種別を検出する容器種別検出部は、調理容器支持部が設定収納位置に適切に収納されれば、調理容器との接当により調理容器の種別を適切に検出することができる。
【００１５】
しかしながら、調理容器支持部が加熱調理室に対する設定収納位置に適切に収納されずに、誤って、設定収納位置よりも少し手前側に収納される場合等が発生する虞があり、この収納状態においては、容器種別検出部が、調理容器の種別を適切に検出することができず、調理容器支持部に装着された調理容器の種別とは異なる種別の調理容器であると検出する虞がある。
本特徴構成によれば、収納検出部にて、調理容器支持部が設定収納位置に収納されたことが検出されたときに、容器種別検出部の検出情報に基づいて調理容器の種別を判別するものであるから、調理容器支持部に装着された調理容器の種別を適切に判別することができる。
【００１６】
要するに本発明の加熱調理器の更なる特徴構成によれば、調理容器支持部に装着された調理容器の種別を適切に判別することができる。
【００１７】
本発明の加熱調理器の更なる特徴構成は、前記設定収納位置に向けて移動される前記調理容器支持部を前記設定収納位置に移動操作するアシスト装置が設けられている点にある。
【００１８】
すなわち、加熱調理室から引き出した調理容器支持部を、加熱調理室に収納するために設定収納位置に向けて移動する際に、アシスト装置によって、調理容器支持部が設定収納位置に向けて移動操作されるから、調理容器支持部を設定収納位置に適切に収納し、かつ、調理容器支持部を設定収納位置に収納した状態を適切に維持できることになる。
【００１９】
したがって、調理容器支持部が設定収納位置に適切に収納され、かつ、調理容器支持部を設定収納位置に収納した状態が適切に維持されるから、収納検出部及び容器種別検出部の検出を適切に行わせることができるため、調理容器支持部に装着された調理容器の種別を一層適切に判別することができる。
【００２０】
要するに本発明の加熱調理器の更なる特徴構成によれば、調理容器支持部に装着された調理容器の種別を一層適切に判別することができる。
【００２１】
本発明の加熱調理器の更なる特徴構成は、前記収納検出部が、前記調理容器支持部に装着された前記調理容器を検出するように構成されている点にある。
【００２２】
すなわち、収納検出部が、調理容器支持部に装着された調理容器を検出することによって、調理容器支持部が設定収納位置に収納されたことを検出することになる。
したがって、調理容器支持部に調理容器が装着されていないときには、調理容器支持部が設定収納位置に収納されていると検出されることがないから、調理容器が調理容器支持部に装着されていない状態のまま、調理メニューが選択されて、加熱調理が実行されることを回避できる。
【００２３】
要するに本発明の加熱調理器の更なる特徴構成によれば、調理容器が調理容器支持部に装着されていない状態のまま、調理メニューが選択されて、加熱調理が実行されることを回避できる。
【００２４】
本発明の加熱調理器の更なる特徴構成は、前記運転制御部が、前記容器種別検出部の検出情報に基づいて、複数の前記調理メニューのうちから、検出された種別の前記調理容器に対応する調理メニューを前記表示部に表示する際に、表示する調理メニューに対応づけて、検出された種別の前記調理容器を併せて表示するように構成されている点にある。
【００２５】
すなわち、検出された種別の調理容器に対応する調理メニューを表示する際に、表示する調理メニューに対応づけて、検出された種別の調理容器が併せて表示されるから、使用者は、調理容器支持部に装着した調理容器の種別を再確認しながら、使用する種類の調理容器に対応する調理メニューを良好に選択できる。
【００２６】
要するに、本発明のコンロの更なる特徴構成によれば、使用する種類の調理容器を選択しながら、使用する種類の調理容器に対応する調理メニューを良好に選択できる。
【図面の簡単な説明】
【００２７】
【図１】ガスコンロの斜視図
【図２】燃料ガス供給構成を示す回路図
【図３】グリルの縦断側面図
【図４】容器支持部をグリル庫から引き出した状態の斜視図
【図５】コンロ用設定操作部の平面図
【図６】グリル用設定操作部の平面図
【図７】制御構成を示すブロック図
【図８】調理容器支持部と容器種別検出部との関係を示す平面図
【図９】収納状態のプレートパンと容器種別検出部との関係を示す平面図
【図１０】収納状態の波型プレートパンと容器種別検出部との関係を示す平面図
【図１１】収納状態の調理鍋と容器種別検出部との関係を示す平面図
【図１２】調理鍋と調理容器支持部との関係を示す斜視図
【図１３】表示制御部の制御作動を示すフローチャート
【図１４】初期画面を示す図
【図１５】プレートパンの分類メニュー選択画面を示す図
【図１６】調理鍋の分類メニュー選択画面を示す図
【図１７】プレートパンの調理メニュー選択画面を示す図
【図１８】調理鍋の調理メニュー選択画面を示す図
【図１９】火力調節画面を示す図
【図２０】加熱時間調節画面を示す図
【図２１】点火誘導画面を示す図
【図２２】調理中画面を示す図
【図２３】調理中画面を示す図
【図２４】調理終了画面を示す図
【図２５】調理終了画面を示す図
【図２６】コンロ側設定画面を示す図
【図２７】調理メニューと調理容器との関係を示す表
【図２８】冷凍食品種別と加熱形態及び加熱調理時間との関係を示す表
【図２９】加熱形態と燃焼調理時間及び余熱調理時間との関係を示す表
【図３０】アシスト装置を示す側面図
【図３１】係合ピンと係合凹部との係合開始状態を示す側面図
【図３２】係合ピンと係合凹部とが係合した状態を示す側面図
【図３３】係合凹部が係合ピンにて係止移動される状態を示す側面図
【図３４】別実施形態の収納状態のプレートパンと容器種別検出部との関係を示す平面図
【図３５】別実施形態の収納状態の波型プレートパンと容器種別検出部との関係を示す平面図
【発明を実施するための形態】
【００２８】
〔実施形態〕
以下、本発明の実施形態を図面に基づいて説明する。  
（ガスコンロの全体構成）
図１に示すように、ビルトイン式のガスコンロＧＣが、コンロ本体Ｈの上面部に、コンロバーナ１として、標準火力バーナ１Ａ、小火力バーナ１Ｂ及び大火力バーナ１Ｃを備え、且つ、コンロ本体Ｈの横幅方向中央部に、加熱調理器としてのグリルＧ（図４参照）を備える形態に構成されている。
【００２９】
コンロ本体Ｈは、上部が開口された箱状の金属製のケーシング２を主要部として構成され、コンロ本体Ｈの上部には、ガラス製の天板３が配置され、コンロ本体Ｈの上面部の後部側には、グリルＧの調理排気を排気するためのグリル排気口４が形成されている。
【００３０】
天板３の上部には、コンロバーナ１にて加熱される鍋等の被加熱物を載置するための五徳５が、３つのコンロバーナ１の夫々に対応して設けられている。
コンロバーナ１の中央部には、鍋等の被加熱物の存在及び被加熱物の底壁温度を検出するコンロバーナセンサ１Ｓが設けられている。
【００３１】
ケーシング２の内部には、図３に示すように、グリルＧを構成する加熱調理室としてのグリル庫６が設けられ、グリル庫６には、加熱部を構成するグリルバーナ７として、グリル庫６の天井部に設けられる上方側加熱部としての上部バーナ７Ｕと、グリル庫６の底部に設けられる下方側加熱部としての下部バーナ７Ｓとが設けられている。
【００３２】
図１に示すように、天板３の手前側の左右中央箇所には、コンロバーナ１やグリルバーナ７の運転に関する情報を表示画面に表示する液晶式の表示部Ｄが設けられている。この表示部Ｄの表示内容については、後述する。
ちなみに、本実施形態では、表示部Ｄが白黒式で表示するように構成されているが、カラー表示式に構成してもよい。
【００３３】
（グリルの詳細）
図３に示すように、グリルＧには、上述したグリル庫６が設けられている。このグリル庫６は、前部及び後部が開口する筒状に形成され、グリル庫６の後方側には、グリルバーナ７の燃焼排ガスや被加熱物からでる水蒸気等の調理排気を排気する排気路Ｅを形成する排気筒６Ａが上方側に延びる状態で連設され、その排気路Ｅにて調理排気を上述のグリル排気口４に導くように構成されている。
【００３４】
図３及び図４に示すように、被加熱物を加熱調理するための調理容器Ｋを支持する調理容器支持部Ｌが、グリル庫６に対して出退自在に設けられている。
本実施形態においては、調理容器Ｋとして、被加熱部の載置面が平坦状に形成されたプレートパン９Ａ（図４及び図８参照）、被加熱物の載置面が波型に形成された波型プレートパン９Ｂ（図１０参照）、及び、調理鍋（キャセロール容器など）９Ｃ（図１２参照）の３種類が存在するものとする。
【００３５】
調理容器支持部Ｌは、グリル庫６の内部に設けた固定レールに対して出退自在に案内される左右の可動レールＬａと、調理容器Ｋの前縁部及び後縁部を載置支持する形態に棒状部材を曲げ加工して形成される支持枠Ｌｂ（図１２参照）とを備える形態に構成されている。
そして、プレートパン９Ａ、波型プレートパン９Ｂ、及び、調理鍋９Ｃが、調理容器支持部Ｌにおける支持枠Ｌｂに対して、付け替え自在に装着されることになる。
【００３６】
左右の可動レールＬａの先端部に、グリル庫６の前部開口を開閉するグリル扉８（図１参照）を取付ける扉支持体８Ａが設けられ、支持枠Ｌｂの先端部が扉支持体８Ａに係止連結されている。
尚、図示は省略するが、支持枠Ｌｂの後端部が、グリル庫６の内部に設けた載置案内体にて、摺動自在に載置支持されている。
【００３７】
グリル庫６の底部に設けた下部バーナ７Ｓが、グリル庫６内に収納された調理容器Ｋを下方から加熱し、グリル庫６の天井部に設けた上部バーナ７Ｕが、グリル庫６内に収納された調理容器Ｋを上方から加熱するように構成されている。
【００３８】
下部バーナ７Ｓは、図３に示すように、円筒状のバーナ本体部１０Ａと、そのバーナ本体部１０Ａに接続されるバーナ混合管部１０Ｂとを備え、バーナ本体部１０Ａには、周方向に沿って炎孔Ｆが形成されている。つまり、下部バーナ７Ｓは、炎孔Ｆを環状に備える形態に構成されている。
ちなみに、このような構成の下部バーナ７Ｓは、コンロバーナ１の構成と同様であり、コンロバーナ１を転用して構成されている。
また、下部バーナ７Ｓの内部には、調理容器Ｋの底部の温度を検出する温度検出センサとして、調理容器Ｋの底壁部に接触して温度を検出する容器温度センサ１１が装備されている。
【００３９】
上部バーナ７Ｕは、下向きの平板状の火炎を形成する輻射式バーナであり、詳細な説明は省略するが、平板状の上バーナ本体部やその上バーナ本体部に接続される上バーナ混合管部を備え、上バーナ本体部の下面部に燃焼炎形成部が形成されている。
【００４０】
尚、図２に示すように、下部バーナ７Ｓ及び上部バーナ７Ｕの夫々に対して、点火装置としての点火プラグＰ、及び、着火状態検出装置として、熱電対等を用いて構成される着火センサＲが装備され、コンロバーナ１についても、同様に、点火プラグＰ及び着火センサＲが装備されている。
【００４１】
（ガス燃料の供給構成）
図２に示すように、都市ガス供給管等のガス供給源に接続される元ガス供給路１２に、電磁操作式の元ガス弁１３が設けられ、元ガス供給路１２からは、標準火力バーナ用分岐路１４ａ、小火力バーナ用分岐路１４ｂ、大火力バーナ用分岐路１４ｃ及びグリルバーナ用分岐路１５の４系統のガス流路が分岐されている。
【００４２】
グリルバーナ用分岐路１５に、下部バーナ７Ｓ及び上部バーナ７Ｕに対するガス燃料の供給圧力を設定圧に調整するガバナ１６が設けられ、ガバナ１６にて設定圧に調整されたガス燃料を下部バーナ７Ｓに導く下部バーナ用供給路１７Ｓ、及び、ガバナ１６にて設定圧に調整されたガス燃料を上部バーナ７Ｕに導く上部バーナ用供給路１７Ｕが、グリルバーナ用分岐路１５から分岐されている。
【００４３】
標準火力バーナ用分岐路１４ａ、小火力バーナ用分岐路１４ｂ及び大火力バーナ用分岐路１４ｃの夫々には、ステッピングモータの駆動によって燃料ガスの流量を調整して加熱量（火力）を調整するためのコンロ用ガス量調整弁１８が備えられている。
また、下部バーナ用供給路１７Ｓ及び上部バーナ用供給路１７Ｕの夫々には、ステッピングモータの駆動によって燃料ガスの流量を調整して加熱量（火力）を調整するためのグリル用ガス量調整弁１９が備えられている。
【００４４】
（ガスコンロの操作構成）
図１に示すように、コンロ本体Ｈの前側面におけるグリルＧの右側の上方箇所には、標準火力バーナ１Ａ、小火力バーナ１Ｂ及び大火力バーナ１Ｃの夫々に対して各別に点火及び消火や火力調節を指令するための３つのコンロ操作具２０が設けられている。
コンロ操作具２０は、押し操作されるごとに、点火指令と消火指令を交互に指令し、また、回転操作することにより、火力調節指令を指令するように構成されている。
【００４５】
コンロ本体Ｈの前側面におけるグリルＧの右側の下方箇所には、コンロバーナ１による自動調理の設定を行うコンロバーナ用設定操作部２１が、下端側を支点にした前後揺動により開閉自在に設けられている。
コンロバーナ用設定操作部２１の上面部には、標準火力バーナ１Ａ、小火力バーナ１Ｂ及び大火力バーナ１Ｃの夫々に対する設定を行うコンロ用操作パネル２１Ｐが設けられている（図５参照）。
尚、図５においては、標準火力バーナ１Ａを左コンロ、小火力バーナ１Ｂを後コンロ、及び、大火力バーナ１Ｃを右コンロと夫々表記している。
【００４６】
コンロ本体Ｈの前側面におけるグリルＧの左側の下方箇所には、グリルバーナ７に対する設定を行うグリル用設定操作部２２が、下端側を支点にした前後揺動により開閉自在に設けられている。
グリル用設定操作部２２の上面部には、調理メニューの選択や、その調理メニューを開始するための点火指令、火力調節指令、加熱調理時間調節指令等の種々の情報を指令するグリル用操作パネル２２Ｐ（操作部の一例）が設けられている（図６参照）。
尚、図６においては、グリルをマルチグリルと表記している。
【００４７】
（コンロ用操作パネルの詳細）
図５に示すように、コンロ用操作パネル２１Ｐには、標準火力バーナ１Ａに対応する左コンロ操作部２１Ｌ、小火力バーナ１Ｂに対応する後コンロ操作部２１Ｍ、及び、大火力バーナ１Ｃに対応する右コンロ操作部２１Ｒを備えている。
【００４８】
左コンロ操作部２１Ｌには、あぶり高温炒めモードを指令するあぶり高温炒めスイッチ２３、湯沸しモードを指令する湯沸しスイッチ２４、温度キープモードを指令する温度キープスイッチ２５、タイマー運転モードを設定するタイマースイッチ２６、及び、設定を取り消す取消スイッチ２７が備えられている。
【００４９】
右コンロ操作部２１Ｒは、左コンロ操作部２１Ｌと同様に構成されるものであって、高温炒めスイッチ２３、湯沸しスイッチ２４、温度キープスイッチ２５、タイマースイッチ２６、及び、取消スイッチ２７が備えられている。
尚、あぶり高温炒めモード、湯沸しモード、温度キープモード、及び、タイマー運転モードの夫々は、周知であるので、本実施形態においては詳細な説明を省略する。
【００５０】
後コンロ操作部２１Ｍには、左コンロ操作部２１Ｌと同様に、タイマースイッチ２６、及び、取消スイッチ２７が備えられ、加えて、炊飯モードを指令する炊飯スイッチ２８が備えられている。
【００５１】
コンロ用操作パネル２１Ｐを用いて、温度キープモードが設定されると、図１５及び図２６に示すように、その設定された温度キープモードを示す情報が表示部Ｄに表示されることになる。
図示は省略するが、湯沸しモード、炊飯モード、あぶり高温炒めモード及びタイマー運転モードについても同様である。
【００５２】
また、炊飯モードにおいて、炊飯が終了すると、図１５に示すように、「炊けました」と表示部Ｄに表示されて、炊飯の終了を報知することが行われる。
尚、図示は省略するが、温度キープモード、湯沸しモード、あぶり高温炒めモード及びタイマー運転モードについても、同様である。
【００５３】
（グリル用操作パネルの詳細）
図６に示すように、グリル用操作パネル２２Ｐには、調理メニューを選択する際に操作される選択スイッチ３２、選択した調理メニューを決定する際に操作される決定スイッチ３３、及び、押し操作する毎にグリルバーナ７の点火を指令する点火指令状態と消火を指令する消火指令状態とに切り換わる点消火スイッチ３４が備えられている。
ちなみに、選択スイッチ３２及び決定スイッチ３３は、後述の如く、表示部Ｄに表示された調理メニューを選択する選択部Ｗとして機能することになる。
【００５４】
加えて、グリル用操作パネル２２Ｐには、以前選択した調理メニューの履歴を読み出す履歴スイッチ３５、設定途中においてもとに戻すための戻るスイッチ３６、設定内容を取り消すとりけしスイッチ３７、初期設定されている種々の内容を変更する際に使用する設定変更スイッチ３８が設けられている。
【００５５】
そして、後述の如く、表示部Ｄにて調理メニューを設定するための各種の情報を表示しながら、グリル用操作パネル２２Ｐの操作により、上述の如く、調理メニューの選択や、その調理メニューを開始するための点火指令、火力調節指令、加熱時間調節指令等の種々の情報を指令するように構成されている。
【００５６】
（調理メニューの詳細）
グリルバーナ７に対して設定する複数の調理メニューが、複数の分類メニューに振り分ける形態に設定されている。
複数の分類メニューとして、本実施形態においては、図２７に示すように、「オートメニュー」「調理モード」「おすすめメニュー」「冷凍食品メニュー」の４つが設けられている。
また、複数の調理メニューとしては、本実施形態においては、食品種別としての「食品名」として設定される場合と、「ハンバーグステーキ」等の料理名として設定される場合と、「焼く」「煮る」等の加熱調理形態として設定される場合とを含むものである。
【００５７】
また、複数の調理メニューが、使用する調理容器Ｋに応じて分類されている。
つまり、複数の調理メニューが、複数の分類メニューに振り分ける形態に設定され、かつ、使用する調理容器Ｋに応じて分類されている。
【００５８】
そして、「オートメニュー」「調理モード」「おすすめメニュー」「冷凍食品メニュー」に分類された複数の調理メニューについての加熱条件が、グリルバーナ７の火力と、加熱調理を実行する加熱調理時間として設定されている。
【００５９】
＜プレートパン＞
図２７に示すように、プレートパン９Ａについての分類メニューとして、「オートメニュー」「調理モード」「おすすめメニュー」「冷凍食品メニュー」の４つが設けられている。
プレートパン９Ａの「オートメニュー」としては、「トースト」「鶏もも焼き」「ホイル焼き」「魚：切り身」「魚：姿焼き」が設定されている。
【００６０】
また、プレートパン９Ａの「調理モード」としては、「焼く」「あたためる」「ノンフライ」が設定されている。
また、プレートパン９Ａの「おすすめメニュー」としては、「あじの開き」「イタリアンカツレツ」「ハンバーグステーキマスタードソース」等が設定されている。
【００６１】
また、プレートパン９Ａの「冷凍食品メニュー」としては、「お好み焼き」「から揚げ」「コロッケ」「炒飯」等の冷凍食品が設定されている。
【００６２】
プレートパン９Ａについての分類メニューとしての「オートメニュー」「調理モード」「おすすめメニュー」「冷凍食品メニュー」の夫々については、加熱条件として、火力及び加熱調理時間の初期値が設定されている。
そして、「オートメニュー」については、加熱調理時間を調整することはできないものの、火力を変更調整することができ、「調理モード」については、加熱時間並びに火力を変更調整することができ、「おすすめメニュー」及び「冷凍食品メニュー」の夫々については、火力を調整することはできないものの、加熱調理時間を変更調整できるように構成されている。
【００６３】
ちなみに、「冷凍食品メニュー」における火力は、複数種の冷凍食品（冷凍食品種別）の夫々について、グリルバーナ７による加熱量を異ならせた「強」「中」「弱」の３段階の加熱形態のいずれかが初期設定されることになるが、その加熱形態の具体内容を含めた「冷凍食品メニュー」の加熱条件の詳細については後述する。
【００６４】
＜波型プレートパン＞
図２７に示すように、波型プレートパン９Ｂの分類メニューとして、「オートメニュー」「調理モード」「おすすめメニュー」の３つが設けられている。
波型プレートパン９Ｂの「オートメニュー」は、プレートパン９Ａの「オートメニュー」と同じ調理メニュー、つまり、「トースト」「鶏もも焼き」「ホイル焼き」「魚：切り身」「魚：姿焼き」が設定されている。
【００６５】
また、波型プレートパン９Ｂの「調理モード」としては、「焼く」が設定されている。
また、波型プレートパン９Ｂの「おすすめメニュー」としては、「あじの開き」「ハンバーグステーキマスタードソース」が設定されている。
【００６６】
波型プレートパン９Ｂの分類メニューとしての「オートメニュー」「調理モード」「おすすめメニュー」の夫々については、加熱条件として、火力及び加熱調理時間の初期値が設定されている。
そして、「オートメニュー」については、加熱調理時間を調整することはできないものの、火力を変更調整することができ、「調理モード」については、加熱調理時間並びに火力を変更調整することができ、「おすすめメニュー」については、火力を調整することはできないものの、加熱調理時間を変更調整できるように構成されている。
【００６７】
ちなみに、プレートパン９Ａの調理メニューと波型プレートパン９Ｂの調理メニューとには同じ調理メニューが存在するが、それらの調理メニューの火力及び加熱調理時間の初期値として、プレートパン９Ａと波型プレートパン９Ｂとの熱伝達の違い等を鑑みて、プレートパン９Ａや波型プレートパン９Ｂに応じた適正値が設定されることになる。
【００６８】
＜調理鍋＞
図２７に示すように、調理鍋９Ｃについての分類メニューとしては、「オートメニュー」「調理モード」「おすすめメニュー」の３つが設けられている。
調理鍋９Ｃの「オートメニュー」は、「ごはん」「もっちりごはん」「炊きこみごはん」が設定されている。
【００６９】
また、調理鍋９Ｃの「調理モード」として、「煮る」「蒸す」「パン」が設定されている。
また、調理鍋９Ｃの「おすすめメニュー」として、「かれいの煮つけ」「スティックチーズケーキ」「なめらかプリン」等が設定されている。
【００７０】
調理鍋９Ｃの分類メニューとしての「オートメニュー」「調理モード」「おすすめメニュー」の夫々については、加熱条件として、火力及び加熱調理時間の初期値が設定されている。
そして、「オートメニュー」は、加熱調理時間及び火力を調整することができないものであり、「調理モード」及び「おすすめメニュー」については、火力を調整することはできないものの、加熱調理時間を変更調整できるように構成されている。
【００７１】
（冷凍食品メニューの加熱条件）
「冷凍食品メニュー」は、被加熱物を調理容器Ｋとしてのプレートパン９Ａに収納した状態で、グリルバーナ７を燃焼作動させる燃焼調理とグリルバーナ７を停止させた後の余熱により調理する余熱調理を順次行う形態で加熱調理されるように構成されるものであって、冷凍食品種別（複数種の冷凍食品）の夫々について、燃焼調理の実行時間である燃焼調理時間と余熱調理の実行時間である余熱調理時間とからなる加熱調理時間を含む状態で定めた加熱条件が設定されるように構成されている。
【００７２】
また、加熱条件が、冷凍食品種別（複数種の冷凍食品）の夫々について、上述の加熱調理時間と、複数の加熱形態との組み合わせとして定められるように構成されている。
すなわち、「冷凍食品メニュー」における冷凍食品種別は、本実施形態においては、図２７及び図２８に示すように、９種類であるが、加熱形態としては、「強」「中」「弱」の３段階があり、それらの加熱形態が、９種の冷凍食品種別に割り当てられている。
【００７３】
加熱調理時間は、上述の如く、グリルバーナ７を燃焼させて調理する加熱調理時間とグリルバーナ７の燃焼を停止させた後の余熱にて調理する余熱調理時間とから設定されることになるが、加熱調理時間の燃焼調理時間と余熱調理時間との割合が、冷凍食品種別（複数種の冷凍食品）の夫々に応じて設定されている。
【００７４】
ちなみに、図２８に示すように、加熱調理時間の初期値が冷凍食品種別（複数種の冷凍食品）の夫々について設定されているが、調理メニュー（冷凍食品種別）を選択する際に変更調節できるように構成されている。
尚、加熱調理時間が増減しても、燃焼調理時間と余熱調理時間との割合は一定である。
【００７５】
また、本実施形態においては、図２９に示すように、燃焼調理時間と余熱調理時間との割合が、３段階の加熱形態の夫々に応じて設定されており、冷凍食品種別（複数種の冷凍食品）の夫々について加熱形態を設定することにより、結果的に、燃焼調理時間と余熱調理時間との割合を、冷凍食品種別（複数種の冷凍食品）に応じて設定するように構成されている。
【００７６】
本実施形態においては、３段階の加熱形態が、上部バーナ７Ｕを加熱形態に応じて設定された燃焼量にて燃焼させ、下部バーナ７Ｓを、容器温度センサ１１にて検出される温度を加熱形態に応じて設定された目標温度に維持するように、燃焼量を調整する形態に設定されている。
すなわち、図２９に示すように、加熱形態が「弱」の場合には、上部バーナ７Ｕの火力を「弱」にし、かつ、容器温度センサ１１にて検出される温度の目標温度を「１２０℃」にするように構成されている。
【００７７】
同様に、加熱形態が「中」の場合には、上部バーナ７Ｕの火力を「中」にし、かつ、容器温度センサ１１にて検出される温度の目標温度を「１４０℃」にするように構成されている。
同様に、加熱形態が「強」の場合には、上部バーナ７Ｕの火力を「強」にし、かつ、容器温度センサ１１にて検出される温度の目標温度を「１６０℃」とするように構成されている。
【００７８】
（調理容器の容器種別検出構成）
図８〜図１１に示すように、調理容器Ｋの種別を検出する容器種別検出部Ｍが、前記調理容器支持部Ｌがグリル庫６に対する設定収納位置に収納された状態において、調理容器Ｋとの接当により種別を検出するように構成されている。
尚、調理容器支持部Ｌのグリル庫６に対する設定収納位置とは、調理容器支持部Ｌがグリル庫６の最内方側となる収納位置に収納された状態に対応する位置である。
【００７９】
ちなみに、図４及び図８に示すように、調理容器支持部Ｌをグリル庫６に収納する際に、調理容器支持部Ｌが設定収納位置の近くに収納されると、弾性付勢力にて、調理容器支持部Ｌを設定収納位置に移動操作するアシスト装置ＡＳが、グリル庫６の左右の側壁部に装備されており、調理容器支持部Ｌを設定収納位置に適切に収納させることができるように構成されている。尚、アシスト装置ＡＳの詳細は後述する。
【００８０】
本実施形態においては、図８に示すように、容器種別検出部Ｍが、左側容器検出部Ｓａ及び右側容器検出部Ｓｂを備えて、それら左側容器検出部Ｓａ及び右側容器検出部Ｓｂの検出状態の組み合わせにより、調理容器Ｋの種別を検出するように構成されている。
左側容器検出部Ｓａ及び右側容器検出部Ｓｂは、グリル庫６の前後方向に移動自在でかつグリル庫６の前方側に弾性付勢された検出体４０を備え、且つ、検出体４０が弾性付勢力に抗して設定量後退移動したことを検出する容器検出用スイッチ（図示せず）を備える形態に構成されている。
以下の記載においては、左側容器検出部Ｓａ及び右側容器検出部Ｓｂの検出体４０が弾性付勢力に抗して設定量後退移動した状態を、容器検出状態と呼称し、それ以外の状態を、容器非検出状態と呼称する。
【００８１】
そして、図９に示すように、プレートパン９Ａが調理容器支持部Ｌに装着された状態において、調理容器支持部Ｌがグリル庫６に対する設定収納位置に収納されると、左側容器検出部Ｓａ及び右側容器検出部Ｓｂの夫々が容器検出状態となるように構成されている。
【００８２】
また、図１０に示すように、波型プレートパン９Ｂが調理容器支持部Ｌに装着された状態において、調理容器支持部Ｌがグリル庫６に対する設定収納位置に収納されると、左側容器検出部Ｓａが容器非検出状態となり、かつ、右側容器検出部Ｓｂが容器検出状態となるように構成されている。
【００８３】
また、図１１に示すように、調理鍋９Ｃが調理容器支持部Ｌに装着された状態において、調理容器支持部Ｌがグリル庫６に対する設定収納位置に収納されると、左側容器検出部Ｓａが容器検出状態となり、かつ、右側容器検出部Ｓｂが容器非検出状態となるように構成されている。
ちなみに、図１２に示すように、調理鍋９Ｃの蓋部には、左側容器検出部Ｓａに対する被検出用の突起４１がグリル庫６の後方側に突出する形態で設けられている。
【００８４】
また、本実施形態においては、図８〜図１１に示すように、調理容器支持部Ｌが設定収納位置に収納されたことを検出する収納検出部Ｎが設けられている。
この収納検出部Ｎは、グリル庫６の前後方向に移動自在でかつグリル庫６の前方側に弾性付勢された収納検出体４２を備え、且つ、収納検出体４２が弾性付勢力に抗して設定量後退移動したことを検出する収納検出用スイッチ（図示せず）を備える形態に構成されている。
本実施形態においては、収納検出部Ｎは、容器種別検出部Ｍの左側容器検出部Ｓａと右側容器検出部Ｓｂとの間に、調理容器Ｋにて押圧操作される形態で設けられている。
【００８５】
そして、容器種別検出部Ｍの左側容器検出部Ｓａと右側容器検出部Ｓｂの検出体４０が、調理容器Ｋにて押圧されて、弾性付勢力に抗して設定量後退移動した後、さらに後退移動する際に、収納検出部Ｎの収納検出体４２の後退量が設定量となる状態となるように、収納検出部Ｎと容器種別検出部Ｍの左側容器検出部Ｓａと右側容器検出部Ｓｂが位置決めされるように構成されている。
【００８６】
尚、上述したアシスト装置ＡＳの弾性付勢力は、容器種別検出部Ｍの検出体４０及び収納検出部Ｎの検出体４２を、グリル庫前方側への弾性付勢力に抗して、グリル庫後方側に移動させながら、調理容器支持部Ｌを設定収納位置に移動させる大きさに設定されている。
【００８７】
（ガスコンロの制御構成）
図７に示すように、ガスコンロＧＣの運転制御部Ｂが、表示部Ｄの表示作動を制御する表示制御部ＢＤと加熱部Ｕの運転を制御する加熱制御部ＢＵとから構成されている。
尚、図７においては、加熱部Ｕとしてのグリルバーナ７及びグリル用ガス量調整弁１９を示し、コンロバーナ１及びコンロ用ガス量調整弁１８の記載を省略する。
【００８８】
そして、加熱制御部ＢＵが、コンロ操作具２０による点火指令や消火指令によって、コンロバーナ１に対する点火処理や消火処理及び火力調節処理を行い、また、コンロバーナ用設定操作部２１の設定情報に基づいて、上述の如く、あぶり高温炒めモード、湯沸しモード、温度キープモード、タイマー運転モード、及び、炊飯モードを実行するように構成されている。
【００８９】
また、加熱制御部ＢＵが、グリル用設定操作部２２の設定情報に基づいて、グリルバーナ７に対する点火処理や消火処理及び火力調節処理を行ないながら、複数の調理メニューのうちの選択された調理メニューについての加熱調理を実行するように構成されている。
（加熱制御部の制御について）
加熱制御部ＢＵは、マイクロコンピュータを備える形態に構成されて、コンロバーナ１及びグリルバーナ７に対する運転（燃焼）を制御するものであるが、コンロバーナ１に対する燃焼制御とグリルバーナ７に対する燃焼制御は同様であるから、以下の説明においては、グリルバーナ７に対する燃焼制御を説明して、コンロバーナ１に対する燃焼制御は省略する。
【００９０】
加熱制御部ＢＵは、図７に示すように、上述したグリル用設定操作部２２からの指令情報に基づいて、下部バーナ７Ｓ及び上部バーナ７Ｕに対する燃焼を制御する。
そして、加熱制御部ＢＵは、調理メニューに対する加熱調理を実行する際には、収納検出部Ｎが設定収納位置に調理容器支持部Ｌが収納されたことを検出する状態において、容器種別検出部Ｍの検出情報に基づいて調理容器Ｋの種別を判別して、判別した調理容器Ｋについて設定されている調理メニューのうちで、グリル用設定操作部２２で選択された調理メニューについて、選択された調理メニューに応じて定めた加熱条件で加熱調理を実行するように構成されている。
【００９１】
尚、加熱制御部ＢＵは、本実施形態においては、収納検出部Ｎが設定収納位置に調理容器支持部Ｌが収納されたことを検出したときに、容器種別検出部Ｍの検出情報を読み込んで、調理容器Ｋの種別を判別するように構成されているが、別の形態として、容器種別検出部Ｍの検出情報を繰り返し読み込んでおき、収納検出部Ｎが設定収納位置に調理容器支持部Ｌが収納されたことを検出したときに、読み込んでいる容器種別検出部Ｍの検出情報に基づいて、調理容器Ｋの種別を判別するように構成してもよい。
【００９２】
すなわち、加熱制御部ＢＵは、後述の如く、表示部Ｄに表示されている調理メニューが選択されたのち、点消火スイッチ３４の操作により点火指令が指令されると、元ガス弁１３、グリル用ガス量調整弁１９を操作して、下部バーナ７Ｓ及び上部バーナ７Ｕに燃料ガスを供給する状態とし、加えて、下部バーナ７Ｓ及び上部バーナ７Ｕに対する点火プラグＰを作動させかつ着火センサＲにて着火を検出する点火処理を実行することになる。
【００９３】
また、調理メニューの加熱調理を中断する等の目的により、点消火スイッチ３４の操作により消火指令が指令されると、元ガス弁１３、グリル用ガス量調整弁１９を閉状態に操作して、下部バーナ７Ｓ及び上部バーナ７Ｕを消火する消火処理を実行することになる。
【００９４】
また、下部バーナ７Ｓ及び上部バーナ７Ｕの燃焼状態において、下部バーナ７Ｓに対するグリル用ガス量調整弁１９及び上部バーナ７Ｕに対するグリル用ガス量調整弁１９を操作して、下部バーナ７Ｓ及び上部バーナ７Ｕの火力を、調理メニューごとに設定された火力に変更調節する火力調節処理を実行することになる。
【００９５】
また、調理メニューを実行しているときに、加熱調理を開始してからの経過時間が設定されている加熱調理時間に達すると、上述した消火処理を実行して、下部バーナ７Ｓ及び上部バーナ７Ｕを自動的に消火することになる。
尚、加熱調理時間が経過して消火処理を実行する際には、例えば、ブザーを調理終了用の設定時間（数秒）に亘り作動させて、調理の終了を報知することになる。
【００９６】
ちなみに、「冷凍食品メニュー」については、加熱調理時間のうちの燃焼調理時間が経過すると、上述した消火処理を実行して、下部バーナ７Ｓ及び上部バーナ７Ｕを自動的に消火することになり、その後、余熱調理時間が経過すると、加熱調理時間が経過したと判断するように構成されている。
【００９７】
尚、「冷凍食品メニュー」については、加熱調理時間のうちの燃焼調理時間が経過して消火処理を実行する際には、例えば、ブザーを調理終了用の設定時間よりも短い時間の間作動させて、消火処理が行われたことを報知し、その後、余熱調理時間が経過して加熱調理時間が経過した際には、ブザーを調理終了用の設定時間に亘り長く作動させて、調理の終了を報知することになる。
【００９８】
また、加熱制御部ＢＵは、冷凍食品については、加熱条件における燃焼調理時間において、上部バーナ７Ｕを冷凍食品種別に応じて設定された燃焼量にて燃焼させ、下部バーナ７Ｓを、容器温度センサ１１にて検出される温度を冷凍食品種別に応じて設定された目標温度に維持するように、燃焼量を調整する状態で燃焼させるように構成されている。
【００９９】
（表示制御部の制御について）
表示制御部ＢＤが、図１４及び図１５に示すように、コンロバーナ１に対する天板側表示領域Ａ１とグリルバーナ７に対するグリル側表示領域Ａ７とを、コンロバーナ１とグリルバーナ７との配置形態に対応する形態で、表示部Ｄの表示画面に区画形成するように構成されている。
本実施形態においては、上下方向を前後方向に置き換えて、表示部Ｄの表示画面の奥側に天板側表示領域Ａ１を形成し、表示部Ｄの表示画面の手前側にグリル側表示領域Ａ７を形成するように構成されている。
【０１００】
また、表示制御部ＢＤが、グリル用設定操作部２２にて調理メニューの設定が指令されていない初期画面では、図１４及び図２６に示すように、天板側表示領域Ａ１の前後幅を、グリル側表示領域Ａ７の前後幅よりも大きし、これに対して、グリル用設定操作部２２にて調理メニューの設定の開始が指令されたときには、図１５、図１６等に示すように、グリル側表示領域Ａ７の前後幅を、天板側表示領域Ａ１の前後幅よりも大きくするように構成されている。
【０１０１】
つまり、グリル用設定操作部２２にて調理メニューの設定が指令された後においては、表示部Ｄの表示画面が、図１５及び図１６に示す「分類メニュー選択画面」、図１７及び図１８に示す「調理メニュー選択画面」、図１９に示す「火力調節画面」、図２０に示す「加熱調理時間調節画面」、図２１に示す「点火誘導画面」、図２２及び図２３に示す「調理中画面」、並びに、図２４及び図２５に示す「調理終了画面」に順次変更されることになるが、いずれの画面においても、グリル側表示領域Ａ７の前後幅を、天板側表示領域Ａ１の前後幅よりも大きくするように構成されている。
【０１０２】
さらに、天板側表示領域Ａ１が、図１４及び図１５等に示すように、標準火力バーナ１Ａ、小火力バーナ１Ｂ及び大火力バーナ１Ｃの夫々の配置に対応して、標準火力バーナ１Ａに対応する左側領域部分Ａａ、小火力バーナ１Ｂに対応する中央側領域部分Ａｂ、及び、大火力バーナ１Ｃに対応する右側領域部分Ａｃに区画されている。
【０１０３】
表示制御部ＢＤが、図１５〜図１８に示すように、「分類メニュー選択画面」及び「調理メニュー選択画面」において、グリル側表示領域Ａ７に、複数の分類メニューを並列させて表示しかつ当該複数の分類メニューのうちの選択された一つの分類メニューに割り当てられた複数の調理メニューを並列させて表示する形態で、複数の分類メニューと複数の調理メニューとを表示するように構成されている。
【０１０４】
本実施形態においては、表示制御部ＢＤが、分類メニュー及び分類メニューに割り当てられた複数の調理メニューを並列させて表示するにあたり、加熱制御部ＢＵからの調理容器Ｋの種別を示す情報に基づいて、容器種別検出部Ｍにて検出された調理容器Ｋに対応する分類メニュー及び調理メニューを表示するように構成されている。
そして、表示部Ｄに表示された調理メニューが選択部Ｗにて選択されると、加熱制御部ＢＵが、グリル用設定操作部２２で選択された調理メニューについて、選択された調理メニューに応じて定めた加熱条件で加熱調理を実行するように構成されている。
つまり、加熱制御部ＢＵが、表示部Ｄに表示された調理メニューが選択部Ｗにて選択されると、容器種別検出部Ｍにて検出された種別の調理容器Ｋに対応する調理メニューが選択されたと判別するように構成されている。
【０１０５】
また、複数の分類メニューのうちの選択された一つの分類メニューと他の分類メニューとを視認できるように表示状態を異ならせる形態で、複数の分類メニューを表示するように構成されている。
すなわち、「分類メニュー選択画面」においては、図１５及び図１６に示すように、選択された分類メニューを、背景が黒の白抜き文字で表示し、他の分類メニューを、背景が白の黒色文字で表示するように構成されている。
また、「調理メニュー選択画面」においては、図１７及び図１８に示すように、選択された分類メニューを、背景が白の黒色文字で表示し、他の分類メニューを、背景が灰色の黒色文字で表示するように構成されている。
【０１０６】
また、本実施形態においては、「調理メニュー選択画面」において、図１７及び図１８に示すように、選択された調理メニューを、背景が黒の白抜き文字で表示し、他の分類メニューを、背景が白の黒色文字で表示するように構成されている。
【０１０７】
さらに、本実施形態においては、表示制御部ＢＤが、複数の調理メニューのうちの、容器種別検出部Ｍにて検出された調理容器Ｋに対応する調理メニューを表示する際に、図１５〜図１８に示すように、容器種別検出部Ｍにて検出された種類の調理容器Ｋ（簡略図）を併せて表示し、また、図１９に示す「火力調節画面」、図２０に示す「加熱調理時間調節画面」、図２１に示す「点火誘導画面」、図２２及び図２３に示す「調理中画面」、及び、図２４及び図２５に示す「調理終了画面」においても、容器種別検出部Ｍにて検出された種類の調理容器Ｋ（簡略図）を表示するように構成されている。
つまり、表示する調理メニューに対応づけて、容器種別検出部Ｍにて検出された種類の調理容器Ｋ（簡略図）を併せて表示するように構成されている。
【０１０８】
（表示制御部の詳細）
表示制御部ＢＤが実行する制御作動について、図１３に示すフローチャートに基づいて説明を加える。
先ず、加熱制御部ＢＵからの情報に基づいて、収納検出部Ｎにて調理容器支持部Ｌの収納が検出されたか否かの判別（＃１）、及び、収納が検出された場合において、容器種別検出部Ｍの検出情報に基づいて判別される調理容器Ｋの種別の決定（＃２）を行い、続いて、決定した種別の調理容器Ｋに対応する調理メニューを判定する（＃３）。
つまり、グリル庫６に収納された調理容器Ｋが、プレートパン９Ａ、波型プレートパン９Ｂ、及び、調理鍋９Ｃのいずれかであるかを決定して、決定した種別の調理容器Ｋに対応する調理メニューを判定することになる。
【０１０９】
決定した種別の調理容器Ｋに対応する調理メニューを判定すると、図１５及び図１６に示す如く、決定した種別の調理容器Ｋに対応する調理メニューを、「分類メニュー選択画面」にて表示する（＃４）。次に、「分類メニュー選択画面」の表示状態において、選択スイッチ３２にて、分類メニューのいずれかを選択して、決定スイッチ３３を操作すると、分類メニューの選択が完了したと判別する（＃５）。
【０１１０】
分類メニューの選択が完了すると、図１７及び図１８に示す如く、「調理メニュー選択画面」を表示し（＃６）、次に、「調理メニュー選択画面」の表示状態において、選択スイッチ３２にて、調理メニューのいずれかを選択して、決定スイッチ３３を操作すると、調理メニューの選択が完了したと判別する（＃７）。
【０１１１】
調理メニューの選択が完了すると、選択された調理メニューが火力調節を行える調理メニューであるか否かを判別し（＃８）、火力調節を行える調理メニューである場合には、図１９に示す如く、「火力調節画面」を表示する（＃９）。
次に、「火力調節画面」の表示状態において、選択スイッチ３２を操作することなく、決定スイッチ３３を操作する、あるいは、選択スイッチ３２にて、火力を変更して、決定スイッチ３３を操作すると、火力調節が完了したと判別する（＃１０）。
【０１１２】
＃８の処理にて、選択された調理メニューが火力調節を行えない調理メニューであると判別した場合や、火力調節が完了すると、選択された調理メニューが加熱調理時間の調節を行える調理メニューであるか否かを判別し（＃１１）、加熱調理時間の調節を行える調理メニューである場合には、図２０に示す如く、「加熱時間調節画面」を表示する（＃１２）。
次に、「加熱時間調節画面」の表示状態において、選択スイッチ３２を操作することなく、決定スイッチ３３を操作する、あるいは、選択スイッチ３２にて、加熱調理時間を変更して、決定スイッチ３３を操作すると、加熱調理時間の調節が完了したと判別する（＃１３）。
【０１１３】
＃１１の処理にて、選択された調理メニューが加熱時間調節を行えない調理メニューであると判別した場合や、加熱時間の調節が完了すると、図２１に示す如く、「点火誘導画面」を表示する（＃１４）。
次に、「点火誘導画面」の表示状態において、点消火スイッチ３４の操作に基づいて、点火処理が行われると（＃１５）、図２２及び図２３に示す如く、「調理中画面」を表示し（＃１６）、その後、調理用の加熱調理時間が経過して加熱調理が終了すると（＃１７）、図２４及び図２５に示すように、「調理終了画面」を表示する（＃１８）。
尚、冷凍食品においても、燃焼調理時間が経過した後、余熱調理時間が過ぎて加熱調理時間が経過すると、図示は省略するが、「調理終了画面」が表示されることになる。
【０１１４】
尚、「点火誘導画面」の表示状態において、点消火スイッチ３４の操作に基づいて点火処理を開始するまでの間は、戻るスイッチ３６を用いて「加熱時間調節画面」に戻り、加熱調理時間の調節を随時行えることになり、また、点火処理を開始したのちにおいても、点火処理の開始後２０秒が経過するまでは、戻るスイッチ３６を用いて「加熱時間調節画面」に戻り、加熱調理時間を調節することができる。
【０１１５】
そして、「調理終了画面」を表示してからの時間が設定時間（例えば、３０秒）を経過すると（＃１９）、「初期画面」（図１４参照）を表示し（＃２０）、その後、＃１の処理に移行することになる。
【０１１６】
（アシスト装置の詳細）
アシスト装置ＡＳは、図４に示すように、調理容器支持部Ｌにおける可動レールＬａを設定収納位置に向けて弾性付勢力にて移動操作するように構成されている。
すなわち、図３０に示すように、コイルスプリング４５にてグリル庫後方側に弾性付勢された係合ピン４６が、ピン装着板４７に形成した案内溝Ｚにて、グリル庫前後方向に移動自在に案内される状態で設けられている。
【０１１７】
案内溝Ｚが、下方側に屈曲する屈曲溝部Ｚｆをグリル庫前方側部分に備える状態に形成されて、係合ピン４６が、案内溝Ｚの屈曲溝部Ｚｆにて、下方に案内されかつ下方に位置する状態で係止保持されるように構成されている。
【０１１８】
容器支持部Ｌが設定収納位置に向けてグリル庫後方側に移動するに伴って、係合ピン４６に係合する係合凹部４８が、可動レールＬａに形成されている。
この係合凹部４８は、案内溝Ｚの屈曲溝部Ｚｆの下方位置に保持されている係合ピン４６を上方側に押圧移動させる押圧部Ｙａ、及び、押圧部Ｙａにて上方側に押圧移動されてきた係合ピン４６をグリル庫前後方向に移動させる前後移動溝部Ｙｂを備えるように構成されている。
【０１１９】
したがって、調理容器支持部Ｌを設定収納位置に向けてグリル庫後方側に移動させる際に、図３１及び図３２に示すように、案内溝Ｚの屈曲溝部Ｚｆの下方位置に保持されている係合ピン４６が、係合凹部４８の押圧部Ｙａにて上方側に押圧移動されて、係合凹部４８の前後移動溝部Ｙｂの内部に移動することになり、前後移動溝部Ｙｂの内部に移動した係合ピン４６が、図３３に示すように、コイルスプリング４５の弾性付勢力にて、前後移動溝部Ｙｂの後端部に接当する状態になる。
【０１２０】
係合ピン４６が前後移動溝部Ｙｂの後端部に接当する状態になると、コイルスプリング４５の弾性付勢力にてグリル庫後方側に弾性付勢される係合ピン４６が、可動レールＬｂをグリル庫後方側に移動操作することになり、その結果、調理容器支持部Ｌが設定収納位置に弾性付勢力にて移動操作されることになる。
【０１２１】
前後移動溝部Ｙｂの後端部及びそれの下方続く下面部Ｙｃが、係合ピン４６を下方側に押し出す傾斜状に形成されて、次述の如く、設定収納位置に収納されている調理容器支持部Ｌをグリル庫６から引出す際には、係合ピン４６を屈曲溝部Ｚｆの下方側に押し出す作用を発揮することになる。
尚、案内溝Ｚに案内されている係合ピン４６は、前後移動溝部Ｙｂの後端部が傾斜状に形成されていても、案内溝Ｚによる案内作用やコイルスプリング４５が斜め上向きに付勢する作用により、前後移動溝部Ｙｂの後端部に接当する状態を維持することになる。
【０１２２】
そして、設定収納位置に収納されている調理容器支持部Ｌをグリル庫６から引出す際には、係合ピン４６が、前後移動溝部Ｙｂの後端部に接当した状態で案内溝Ｚの前方側に移動し、案内溝Ｚの前方側に移動すると、係合ピン４６が、前後移動溝部Ｙｂの後端部及び下面部Ｙｃにて下方側に押し出されながら、屈曲溝部Ｚｆに沿って下方側に案内されかつ屈曲溝Ｚｆの下方位置に係止保持されることになる。
それに伴って、係合ピン４６が係合凹部４８から離脱するように構成されている。
【０１２３】
ちなみに、本実施形態においては、容器支持部Ｌを設定収納位置に的確に保持するために、図３及び図８に示すように、グリル扉８の背部に左右一対の磁石Ｊａを装着し、容器支持部Ｌを設定収納位置に収納した状態において、左右一対の磁石Ｊａにてグリル庫６の前面の吸着部Ｊｂ（図４参照）を吸着させるように構成されている。
【０１２４】
〔別実施形態〕
次に、別実施形態を列記する。
（１）上記実施形態では、調理容器Ｋとして、プレートパン９Ａ、波型プレートパン９Ｂ、及び、調理鍋９Ｃを例示したが、調理容器Ｋとしては、その他の各種のものを使用できる。
また、プレートパン９Ａ、波型プレートパン９Ｂ、及び、調理鍋９Ｃのうちの、２つの種類の調理容器Ｋを備えさせる形態で実施してもよい。
【０１２５】
例えば、調理容器Ｋとして、プレートパン９Ａと波型プレートパン９Ｂとを備えさせる場合には、図３４及び図３５に示すように、容器種別検出部Ｍと収納状態のプレートパン９Ａ及び波型プレートパン９Ｂにて押圧操作される収納検出部Ｎとを左右に配置し、容器種別検出部Ｍとして、左側容器検出部Ｓａと同様に構成される容器検出部Ｓｃを設ける形態で実施できる。つまり、容器検出部Ｓｃは、収納状態のプレートパン９Ａにて押圧操作され、かつ、収納状態の波型プレートパン９Ｂにては押圧操作されないことにより、プレートパン９Ａと波型プレートパン９Ｂとを検出する。
【０１２６】
（２）上記実施形態では、表示部Ｄが、天板３の手前側箇所に設けられる場合を例示したが、表示部Ｄをコンロ本体Ｈの前面部に設けるようにする等、表示部Ｄの設置位置は種々変更できる。
【０１２７】
（３）上記実施形態では、グリル用操作パネル２２Ｐを用いながら調理メニューを、スイッチ式の選択部Ｗにて選択操作するように構成する場合を例示したが、表示部Ｄを選択部Ｗとしても機能するタッチパネル式に構成して、表示部Ｄの表示面のタッチ操作によって調理メニューを選択操作できるように構成してもよく、さらには、選択部Ｗとして音声入力装置設けて、音声入力にて、調理メニューを選択操作できるように構成してもよい。
【０１２８】
（４）上記実施形態では、複数の分類メニューのうちの選択された一つの分類メニューと他の分類メニューとを視認できるように表示状態を異ならせる形態で、前記複数の分類メニューを表示するにあたり、選択された分類メニューを、背景が黒の白抜き文字で表示し、他の分類メニューを、背景が白の黒色文字で表示するようにしたが、選択された分類メニューを点滅表示し、他の分類メニューを連続点灯表示する等、選択された一つの分類メニューと他の分類メニューとを視認できるように表示状態を異ならせる形態は、種々変更できる。
【０１２９】
（５）上記実施形態では、調理容器Ｋとしてのプレートパン９Ａを用いて、冷凍食品を加熱調理する場合を例示したが、冷凍食品を加熱調理する調理容器Ｋとしては、上部バーナ７Ｕからの熱が通過可能な蓋を備える形態のもの等、種々のものを使用できる。
【０１３０】
（６）上記実施形態では、加熱形態として、上部バーナ７Ｕと下部バーナ７Ｓとの両者が燃焼される場合を例示したが、上部バーナ７Ｕの燃焼を停止して、下部バーナ７Ｓのみを燃焼させる下方側加熱形態を備えさせる形態で実施してもよい。
【０１３１】
（７）上記実施形態では、コンロとして、天板側加熱部としてコンロバーナ１を備え、グリル側加熱部としてグリルバーナ７を備えるガスコンロＧＣを例示したが、本発明は、天板側加熱部として誘導加熱式ヒータを備え且つグリル側加熱部として電熱ヒータを備える電気式のコンロ、いわゆるＩＨコンロにも適用できるものである。
【０１３２】
（８）上記実施形態では、加熱調理器として、ガスコンロに備えられたグリルＧを例示したが、ガスコンロに組みこまれたグリルに限らず、グリル単体として構成されるものであってもよい。
また、本発明を適用する加熱調理器としては、グリルＧに限らず、オーブン等の加熱調理器でもよい。
【０１３３】
（９）上記実施形態では、容器温度センサ１１として、接触式の温度センサを設ける場合を例示したが、非接触式の温度センサを設けるようにしてもよい。
【０１３４】
（１０）上記実施形態では、運転制御部Ｂを、表示制御部ＢＤと加熱制御部ＢＵとから構成する場合を例示したが、表示制御部ＢＤと加熱制御部ＢＵを１つの制御部とする形態で運転制御部Ｂを構成してもよい。
【０１３５】
（１１）上記実施形態では、収納検出部Ｎが、調理容器支持部としての調理容器支持部Ｌに装着された調理容器Ｋを検出対象とする場合を例示したが、例えば、支持枠Ｌｂを検出対象とする等、調理容器支持部Ｌを検出対象としてもよく、また、調理容器支持部Ｌと一体移動するグリル扉８を検出対象としてもよい。
【０１３６】
（１２）上記実施形態では、容器種別検出部Ｍが、調理容器Ｋとの接当により種別を検出するように構成される場合を例示したが、光センサ等の無接触式のセンサを用いて、調理容器Ｋの種別を検出するように構成してもよい。
【０１３７】
（１３）上記実施形態では、アシスト装置ＡＳが、調理容器支持部Ｌを弾性付勢力にて移動操作する形態に構成される場合を例示したが、例えば、電動モータ等のアクチュエータにて調理容器支持部Ｌを移動操作するように構成する等、アシスト装置ＡＳの具体構成は各種変更できる。
【０１３８】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３９】
６      加熱調理室
７      加熱部
ＡＳ    アシスト装置
Ｂ      運転制御部
Ｄ      表示部
Ｋ      調理容器
Ｌ      調理容器支持部
Ｍ      容器種別検出部
Ｎ      収納検出部
Ｗ      選択部
【図１】
2018066517.tif 000003
【図２】
2018066517.tif 000004
【図３】
2018066517.tif 000005
【図４】
2018066517.tif 000006
【図５】
2018066517.tif 000007
【図６】
2018066517.tif 000008
【図７】
2018066517.tif 000009
【図８】
2018066517.tif 000010
【図９】
2018066517.tif 000011
【図１０】
2018066517.tif 000012
【図１１】
2018066517.tif 000013
【図１２】
2018066517.tif 000014
【図１３】
2018066517.tif 000015
【図１４】
2018066517.tif 000016
【図１５】
2018066517.tif 000017
【図１６】
2018066517.tif 000018
【図１７】
2018066517.tif 000019
【図１８】
2018066517.tif 000020
【図１９】
2018066517.tif 000021
【図２０】
2018066517.tif 000022
【図２１】
2018066517.tif 000023
【図２２】
2018066517.tif 000024
【図２３】
2018066517.tif 000025
【図２４】
2018066517.tif 000026
【図２５】
2018066517.tif 000027
【図２６】
2018066517.tif 000028
【図２７】
2018066517.tif 000029
【図２８】
2018066517.tif 000030
【図２９】
2018066517.tif 000031
【図３０】
2018066517.tif 000032
【図３１】
2018066517.tif 000033
【図３２】
2018066517.tif 000034
【図３３】
2018066517.tif 000035
【図３４】
2018066517.tif 000036
【図３５】
2018066517.tif 000037